(57)【要約】【課題】  カラオケ楽曲の検索にあたって、利用者の嗜好に合わせて、カラオケリモコンアプリケーションの検索軸を素早く利用できるように、随時カスタマイズされるように検索軸の表示順が更新されるようにすることを目的とする。【解決手段】  画面遷移又は画面スクロールにより、タッチパネルに文字や画像を表示することにより利用者に向けて各種楽曲の検索軸情報を多数表示する検索軸情報表示手段を有するカラオケリモコンアプリケーション又はネットワークカラオケシステムにおいて、利用者の検索軸利用情報に基づき、検索軸情報表示手段で表示する検索軸の表示順を利用頻度順に所定のタイミングで変更するようにした。【選択図】図３
2015072391.tif 000002
【特許請求の範囲】
【請求項１】
画面遷移又は画面スクロールにより、タッチパネルに文字や画像を表示することにより利用者に向けて各種楽曲の検索軸情報を多数表示する検索軸情報表示手段と、
この検索軸情報表示手段により指定した検索軸に該当する楽曲を楽曲データベースから抽出し、抽出結果を表示する検索結果表示手段と、
この検索結果表示手段により表示された楽曲から特定の楽曲を選択し、当該楽曲をカラオケ装置に演奏予約するためのリモコン信号を発信するリモコン信号発信手段と、
前記検索軸情報表示手段、検索結果表示手段、リモコン信号発信手段を管理する管理手段を備えたカラオケリモコンアプリケーションであって、
前記管理手段は、利用者の検索軸利用頻度に基づき、前記検索軸情報表示手段で表示する検索軸の表示順を利用頻度順に所定のタイミングで変更することを特徴とするカラオケリモコンアプリケーション。
【請求項２】
複数のカラオケ演奏装置と、
カラオケ楽曲及びカラオケ楽曲の検索情報を蓄積し、前記カラオケ演奏装置に前記カラオケ楽曲及び前記カラオケ楽曲の検索情報を供給するセンタサーバと、
このセンタサーバとネットワーク通信を介して接続され、各カラオケ装置をコントロールするカラオケリモコンアプリケーションを搭載したリモコン用端末機からなるネットワークカラオケシステムであって、
前記リモコン用端末機は、
前記センタサーバと直接又は前記カラオケ装置を介して、情報交換を行う通信手段と、
画面遷移又は画面スクロールにより、タッチパネルに文字や画像を表示することにより利用者に向けて各種楽曲の検索軸情報を多数表示する検索軸情報表示手段と、
この検索軸情報表示手段により、指定した検索軸に該当する楽曲を楽曲データベースから抽出し、抽出結果を表示する検索結果表示手段と、
この検索結果表示手段により表示された楽曲から特定の楽曲を選択し、当該楽曲を前記カラオケ装置に演奏予約するためのリモコン信号を発信するリモコン信号発信手段と、
前記通信手段、前記検索軸情報表示手段、前記検索結果表示手段、前記リモコン信号発信手段を管理するとともに、前記検索軸情報表示手段における利用者の検索軸利用情報を前記センタサーバにアップする管理手段を備え、
前記センタサーバは、前記リモコン用端末機からアップされた利用者の検索軸利用情報を集計するよう構成し、
前記センタサーバで集計された、利用者の検索軸利用情報に基づき、前記検索軸情報表示手段で表示する検索軸の表示順を利用頻度順に所定のタイミングで変更することを特徴とするネットワークカラオケシステム。
【請求項３】
前記管理手段は、当該リモコン用端末における利用者の検索軸利用頻度に基づき、前記検索軸情報表示手段で表示する検索軸の表示順を利用頻度順に所定のタイミングで変更でき、その場合と前記検索軸情報表示手段で表示する検索軸の表示順を前記センタサーバで集計された検索軸利用情報における利用頻度順に所定のタイミングで変更する場合とを選択できることを特徴とする前記請求項２記載のネットワークカラオケシステム。
【発明の詳細な説明】
【技術分野】
【０００１】
本発明は、カラオケリモコンにおいて、利用者の嗜好に合わせて操作性を向上させることができるカラオケリモコンアプリケーション及びネットワークカラオケシステムに関する。
【背景技術】
【０００２】
目次本機能付きカラオケリモコン装置は、機能的には携帯型パソコンに類似した形態のコンピュータ応用機器として製品化されている。そして、カラオケ楽曲データベースに対応するカラオケ楽曲についての属性情報を格納し、楽曲データベースとして管理され、利用者が入力した検索キーワードに基づき楽曲データベースに照会し、該当するカラオケ楽曲についての目次情報や楽曲番号を導き出せるようになっている。そして、希望するカラオケ楽曲が最終的に選曲され、その楽曲の演奏予約コードをカラオケ装置に転送させて演奏が開始されるようになっている。
【０００３】
このようにカラオケリモコン装置は、楽曲データベースに与えられる検索軸のキーワードの属性情報に応じて、曲名やアーティスト名のほか、ジャンル、年代などの各種検索モード（検索軸）を備えている。さらに近年は、携帯電話やタブレットＰＣと呼ばれる携帯端末などタッチパネル型の情報端末が急激に普及してきている。それら携帯情報端末には各種のアプリケーションソフトウエアが容易にインストールできるようにもなっており、カラオケリモコンアプリケーションも簡単にセットアップできる状況にある。
【０００４】
一方、カラオケメーカーからは、カラオケ楽曲について、楽曲の検索を容易にするために楽曲データベースに与えられる検索軸のキーワードの属性情報が随時提供されつつあるが、カラオケリモコンアプリケーションへの反映は必ずしも実現しているとは言い難い。
【先行技術文献】
【特許文献】
【０００５】
【特許文献１】特許第３９６１３７３号公報
【特許文献２】特開２００４-３５４７５６号公報
【発明の概要】
【発明が解決しようとする課題】
【０００６】
特許文献１は、検索式カラオケリモコンに関し、検索結果のワンタッチ再現処理機能を備えたタッチパネル式リモコン装置が開示されている。
この特許文献１における開示内容としては、利用者が利用した検索において画面に残った検索結果をワンタッチで再現するというものである。
【０００７】
この特許文献1で開示された検索方法や検索装置は、楽曲を検索するための検索軸については、固定され更新もなく、カラオケメーカーが提供する検索軸のバラエティは限定されたものとなっている。
【０００８】
また、特許文献２は、楽曲検索に際して、楽曲のカテゴリは、利用者ごとに異なっていることに着目している。例えば、同じような嗜好（例えば同じアーティスト）で選曲することが多いなど。そのため少ない操作手順で利用者にとって意味のある過去の画面表示状態を再現させるための技術が開示されている。
【０００９】
特許文献１と同様に、この特許文献２で開示された検索方法や検索装置は、楽曲を検索するための検索軸については、固定され更新もなく、カラオケメーカーが提供する検索軸のバラエティは限定されたものとなっている。
【００１０】
すなわち固定的でバラエティも限定された検索軸のみの提供である限り、単一画面で表示しうるため、検索軸の表示順に関しては発明の必然性がなかったのが現状であるが、今や大いに普及しているスマートフォンの操作性などを前提にするならば、所謂専用リモコンとは異なり、数多くの検索軸を提案することが可能となる。一方で、多くの検索軸が表示できるだけに、すべての検索軸を一画面で見ることができない。
【００１１】
本発明は、利用者の楽曲検索の多様性を広げる多数の検索軸をカラオケメーカーが提供する際に、個々の利用者の嗜好に合わせて、カラオケリモコンアプリケーションの検索軸を素早く利用できるように、随時カスタマイズされるようにすることを目的としている。
【課題を解決するための手段】
【００１２】
上記目的を達成するため本発明の請求項1は、画面遷移又は画面スクロールにより、タッチパネルに文字や画像を表示することにより利用者に向けて各種楽曲の検索軸情報を多数表示する検索軸情報表示手段を有するカラオケリモコンアプリケーションであって、
利用者の検索軸利用頻度に基づき、検索軸情報表示手段で表示する検索軸の表示順を利用頻度順に所定のタイミングで変更するようにしてなるものである。
【００１３】
また請求項２は、カラオケ楽曲及びカラオケ楽曲の検索情報を蓄積し、複数のカラオケ演奏装置に前記カラオケ楽曲及び前記カラオケ楽曲の検索情報を供給するセンタサーバを設け、このセンタサーバとネットワーク通信を介して接続され、各カラオケ装置をコントロールするカラオケリモコンアプリケーションを搭載したリモコン用端末機からなるネットワークカラオケシステムであって、
検索軸情報表示手段で表示する検索軸の表示順を、センタサーバで集計された利用者の検索軸利用情報における利用頻度順に、所定のタイミングで変更するようにしたものである。
【００１４】
さらに請求項３は、検索軸情報表手段で表示する検索軸の表示順をリモコン用端末機における検索軸利用頻度順に所定のタイミングで変更することができ、この場合とセンタサーバで集計された検索軸利用情報に基づいた検索軸利用頻度順に所定のタイミングで変更する場合とを選択できるようにしたものである。
【発明の効果】
【００１５】
本発明によると、利用者の利用頻度にあわせて検索軸が表示されるので、利用者の利用頻度の高い検索軸ほど容易に選択でき操作性を向上させることができる。個別の利用者が利用しない検索軸についても、センタサーバで集計したシステム全体の利用頻度に基づいて表示順を変更できるため、人気の高い検索軸がより見えやすい位置に置かれることとなる。また、メーカー側から検索軸が随時追加された場合の表示順の扱いについても利用者の嗜好に合わせて選択できるなどの応用も考えられる。
【図面の簡単な説明】
【００１６】
【図１】本発明の一実施例におけるネットワークカラオケシステム構成図。
【図２】リモコンアプリケーショントップ画面の一実施例説明図。
【図３】検索軸表示画面の一例の説明図。
【図４】検索軸表示画面の一例の説明図。
【図５】リモコン用端末機の構成を示す説明図。
【発明を実施するための形態】
【００１７】
以下に本発明の実施例を図に基づいて説明する。
本発明においては、図１に示されるようにセンタサーバは、ネットワークを経由して直接あるいは、カラオケ装置を介して間接的に、カラオケリモコンアプリケーションを搭載したリモコン用端末機１に対し、楽曲検索軸を含む楽曲管理データ等を配信している。
今日、リモコン用端末機１は、カラオケ装置メーカーがカラオケ装置とセットで製造する専用リモコン端末と、ダウンロードによりカラオケリモコンアプリケーションがインストールされた携帯情報端末が考えられるが、本実施例での、リモコン用端末機１はカラオケリモコンアプリケーションがインストールされたカラオケ利用者があらかじめ所持している携帯情報端末とする。
【００１８】
図５は、リモコン用端末機１を示すもので、構成の主なものとしては、外部との通信を行う通信制御部１５、メモリ１３、タッチパネル１２などを有し、それぞれ制御部１４に接続されコントロールされる。特に、操作部としては、タッチパネル１２がディスプレイ２０とタッチセンサ２１で構成され、ディスプレイ２０にメニュー画面などが表示され、タッチしながら操作を行えるようになっている。メモリ１３には、アプリケーションプログラムが各種ダウンロードでき、本発明に係るプログラムもこの部分にダウンロードされる。
【００１９】
カラオケ利用者が所有する携帯情報端末にインストールしてあるカラオケリモコンアプリケーションを起動すると、図２に示されるようなカラオケリモコンアプリケーショントップ画面２が表示される。楽曲を探すための操作ボタン３をタップすると、図３に示されるような楽曲検索のための検索軸４がタイトルバー５の下部に複数の検索軸の表示画面が表示されるようになっている。
これら検索軸４は、図４に示されるように一画面に表示できる以上の数の検索軸を有しており、上下に画面をスクロールすることで初期画面に表示されていない検索軸も順次表示されていき所望の検索軸を指定できるようになっている。
【００２０】
従来のカラオケリモコンの検索軸が、ほぼ固定で、検索軸も増加させることは事実上難しく、面白みのかける状況となっていることに対し、楽曲検索のために、提供者側から随時追加される検索軸も含め極めて多数の検索軸を提供でき、提供者及び利用者双方にとって極めて自由度の高い仕様となっている。
【００２１】
カラオケを楽しむ利用者は、それぞれ嗜好があり、利用する検索軸も偏ってきたり、好みのものもあるはずで、一方的に検索軸を増加させることも問題があったが、利用者の嗜好に合わせ、利用頻度順に検索軸の表示順を決定しておけば、提供者側がどんどん検索軸を追加しても、利用者は、いつも一定の操作性を維持でき、サービスの低下を招くことはなく、使えば使うほど、利用者の嗜好にマッチした使い心地の向上が実現される。
【００２２】
また、カラオケ楽曲及びカラオケ楽曲の検索情報を蓄積し、複数のカラオケ演奏装置に前記カラオケ楽曲及びカラオケ楽曲の検索情報を供給するセンタサーバにおいて、センタサーバで集計された、利用者の検索軸利用頻度に基づき、検索軸情報表示手段で表示する検索軸を利用頻度順に所定のタイミングで変更するようにした場合、複数の利用者の検索軸利用頻度情報を集計して得られた検索軸を利用頻度順に所定のタイミングで変更することもでき、利用者全体が、どのような検索軸を使うかが把握でき、提供者側が効果的に利用されやすい検索軸及び検索軸順を提供できる。利用頻度の低い利用者や、不特定多数の利用者が共用するリモコン端末機での表示順の決定などに有効な方法といえる。
【００２３】
さらに個々の利用者の検索軸利用頻度に基づいた検索軸順と、センタサーバで、複数の利用者の検索軸利用頻度情報を集計して得られた検索軸順を選択できるようにしたことで、いつでも自分の楽曲検索の枠を広げることができ、使い勝手の良いカラオケリモコンとすることができる。選択機能を部分的に適用することで、個々の利用者では利用されていない検索軸の表示順をセンタサーバで集計した利用頻度順とするなどの応用も可能となる。
【００２４】
本実施例においては、管理手段が常に携帯情報端末の所有者である使用者ＩＤにおける検索軸利用頻度情報を集計し、検索軸順を管理しているが、センタサーバで集計された、複数の利用者の検索軸利用頻度に基づき、検索軸順を一時的に選択してもよく、管理手段は、常に携帯情報端末の所有者である使用者ＩＤにおける検索軸利用頻度情報を記憶しておき、いつでも使用者の検索軸利用頻度順に戻すことができるようになっている。
【符号の説明】
【００２５】
１…リモコン用端末機
２…トップ画面
３…操作ボタン
４…検索軸
５…タイトルバー
１２…タッチパネル
１３…メモリ
１４…制御部
１５…通信制御部
２０…ディスプレイ
２１…タッチセンサ
【図１】
2015072391.tif 000003
【図２】
2015072391.tif 000004
【図３】
2015072391.tif 000005
【図４】
2015072391.tif 000006
【図５】
2015072391.tif 000007